(57)【特許請求の範囲】
【請求項１】
折り曲げによって上面、前面、底面、折り返しを有する前縁部が形成された棚板の上記前縁部に取り付けられるブックサポートにおいて、
仕切部と、
上記仕切部を保持するとともに棚板に取り付けられる樹脂により成形された取付部とを有し、
上記取付部は、仕切部を取り付け可能な仕切部取付部と、棚板前縁部上面に対応する上部と、棚板前縁部前面に対応する前部と、棚板前縁部底面に対応する底部と、棚板前縁部底面からの折り返しに対応する折り返し部とを有してなり、
上記上部と前部と底部と折り返し部とにより棚板の前縁部を挟み込んだ形で棚板の前縁部に取り付けることができ、
棚板前縁部上面に対応する上部には、棚板の上面に当接する手前側と奥側の突起を残してその間に逃げ部が形成されていることを特徴とするブックサポート。
【請求項２】
前記棚板の棚板前縁部前面に対応する部分の高さ寸法ａは、前記底部の棚板前縁部底面に対応する部分の奥行き寸法ｂよりも大きいことを特徴とする請求項１記載のブックサポート。
【請求項３】
前記仕切部は、一面を形成するように一本の丸鋼が折り曲げられて形成され、前記取付部に取り付けられることを特徴とする請求項１又は２記載のブックサポート。
【請求項４】
棚板の後部にある背板の折り返された上縁部を挟み込んだ形で取り付けることができるブックサポートにおいて、
仕切部と、
上記仕切部を保持するとともに樹脂により成形された取付部とを有し、
上記取付部は、仕切部を取り付け可能な仕切部取付部と、背板上端部前面に対応する前部と、背板上端部上面に対応する上部と、背板上端部後面に対応する後部と、背板上端部の折り返しに対応する突出部と、背板前面に当接する当接部とを有してなり、上記前部と上部と後部と突出部と当接部とにより背板の上端部を挟み込み、上記上部と突出部と当接部とが背板に当接していることを特徴とするブックサポート。
【請求項５】
前記上部において、背板上端部に対応する部分の奥行き寸法ｃは、背板の上端部の折り返しの幅ｄよりも大きいことを特徴とする請求項４記載のブックサポート。
【請求項６】
前記取付部は、仕切部により形成される面に対して片側に取り付けられていることを特徴とする請求項４又は５記載のブックサポート。
【請求項７】
前記仕切部は、一面を形成するように一本の丸鋼が折り曲げられて形成され、前記取付部に取り付けられることを特徴とする請求項４、５又は６記載のブックサポート。
【発明の詳細な説明】
【０００１】
【発明の属する技術分野】
本発明は、棚板上に載置された書籍、書類等を支え、整理可能とするブックサポートに関するものである。
【０００２】
【従来の技術】
棚上に載置された蔵書、書類等を支え、整理整頓を可能とするブックサポートは従来から用いられている。例えば、図１１に示すようなブックサポートが知られている。これは一面を形成するように丸鋼を折り曲げて仕切部を９１を形成し、丸鋼の両端にＵ字状に折り曲げられた金具９２、９２を取り付け、この金具９２、９２を図示しない棚板の内部カマチに嵌め合い、丸鋼のスプリングバック効果により、棚板と仕切部を締結するようにした棚板内部取付け式ブックサポートである。
しかし、このような丸鋼の両端に金具を取り付けるという方式では、棚板のカマチと金具の摩擦によりカマチ又は金具に傷が入り、錆の発生の原因となるといった問題があった。
【０００３】
また、図１２に示すように、板状の可動仕切り板９３の底部の後面側９４をコの字型に折り曲げ、この折り曲げられて形成された凹部９５内に棚板の後縁部を嵌合させるようにした方式のブックサポートも知られている。
しかし、可動仕切り板９３は一般にスチール平板で作られており、可動の際に仕切り板の凹部９５と棚板の後縁部がこすれあい、傷が入り易く、上記図１１に示した従来技術と同様に、錆の発生の原因となるといった問題があった。
【０００４】
【発明が解決しようとする課題】
本発明は、以上のような背景のもとに考えられたもので、棚板への取付及び棚板上での移動が容易で、棚板及び仕切部に傷が入りにくく、さらに蔵書にも傷がつかないブックサポートを提供することを目的とする。
【０００５】
【課題を解決するための手段】
上記の課題を解決するために、請求項１記載の発明は、折り曲げによって上面、前面、底面、折り返しを有する前縁部が形成された棚板の上記前縁部に取り付けられるブックサポートにおいて、仕切部と、仕切部を保持するとともに棚板に取り付けられる樹脂により成形された取付部とを有し、取付部は、仕切部を取り付け可能な仕切部取付部と、棚板前縁部上面に対応する上部と、棚板前縁部前面に対応する前部と、棚板前縁部底面に対応する底部と、棚板前縁部底面からの折り返しに対応する折り返し部とを有してなり、上記上部と前部と底部と折り返し部とにより棚板の前縁部を挟み込んだ形で棚板の前縁部に取り付けることができ、棚板前縁部上面に対応する上部には、棚板の上面に当接する手前側と奥側の突起を残してその間に逃げ部が形成されていることを特徴とする。
【０００７】
請求項２記載の発明は、請求項１記載のブックサポートにおいて、前記前部の棚板前縁部前面に対応する部分の高さ寸法ａは、前記底部の棚板前縁部底面に対応する部分の奥行き寸法ｂよりも大きいことを特徴とする。
【０００９】
請求項３記載の発明は、請求項１又は２記載のブックサポートにおいて、仕切部は、一面を形成するように一本の丸鋼が折り曲げられて形成され、取付部に取り付けられることを特徴とする。
【００１０】
請求項４記載の発明は、棚板の後部にある背板の折り返された上縁部を挟み込んだ形で取り付けることができるブックサポートにおいて、仕切部と、仕切部を保持するとともに樹脂により成形された取付部とを有し、取付部は、仕切部を取り付け可能な仕切部取付部と、背板上端部前面に対応する前部と、背板上端部上面に対応する上部と、背板上端部後面に対応する後部と、背板上端部の折り返しに対応する突出部と、背板前面に当接する当接部とを有してなり、上記前部と上部と後部と突出部と当接部とにより背板の上端部を挟み込み、上記上部と突出部と当接部とが背板に当接していることを特徴とする。
【００１２】
請求項５記載の発明は、請求項４記載のブックサポートにおいて、前記上部において、背板の上端部に対応する部分の奥行き寸法ｃは、背板の上端部の折り返しの幅ｄよりも大きいことを特徴とする。
【００１３】
請求項６記載の発明は、請求項４又は５記載のブックサポートにおいて、取付部は、仕切部により形成される面に対して片側に取り付けられていることを特徴とする。
【００１４】
請求項７記載の発明は、請求項４、５又は６記載のブックサポートにおいて、仕切部は、一面を形成するように一本の丸鋼が折り曲げられて形成され、取付部に取り付けられることを特徴とする。
【００１５】
【発明の実施の形態】
以下、図面を参照しながら本発明にかかるブックサポートの実施の形態について説明する。
本発明にかかるブックサポートは、主に蔵書等を支えるための仕切部と、棚板に取り付けるための取付部から構成されている。
【００１６】
図１は取付部の一例を示す斜視図であり、図２はこの取付部を取り付けることができる棚板前縁部の一例を示す斜視図である。棚板５９は例えば鋼板のような金属板からなり、この棚板の一面を略直角に３回折り曲げることにより、上面６１、前面６２、底面６３、折り返し６４を有する棚板前縁部６０が形成されている。
【００１７】
図１に示すように、取付部１３は樹脂により一体成形され、後述する仕切部を取り付けることができる仕切部取付部１５と、棚板前縁部上面６１に対応する上部１６と、棚板前縁部前面６２に対応する前部１７と、棚板前縁部底面６３に対応する底部１８と、棚板前縁部底面からの折り返し６４に対応する折り返し部１９とを有している。上部１６と前部１７と底部１８とはそれぞれこの順に互いに垂直に成形されているため、結果として上部１６と底部１８及び前部１７と折り返し部１９とは略平行となっている。仕切部取付部１５には背面（図１において右側の面）から水平方向に２つの孔２７、２７が設けられ、この孔２７、２７には仕切部１が取り付けられている。
【００１８】
上部１６における棚板前縁部上面６１と対向する面には、前縁部上面６１に当接する手前側の突起部２０と奥側の突起部２１が設けられ、この突起部２０と２１の間には逃げ部２２が水平方向に形成されている。
【００１９】
図３に示すように、取付部１３の上部１６、前部１７、底部１８、折り返し部１９により凹部１４が形成され、突起部２０、２１、前部１７、底部１８が棚板の前縁部６０の対応する各面に当接することにより、棚板の前縁部６０は凹部１４内の空間内にきっちりと挟み込まれ固定されるようになっている。このため、ブックサポートは、蔵書等による水平方向からの力に抗して蔵書等を支えることができる。
【００２０】
取付部１３の前部１７における棚板の前縁部前面６２に対応する部分の高さ寸法ａは、前縁部前面６２の長さとほぼ同じ長さとし、底部１８における前縁部底面６３に対応する部分の長さ寸法ｂは、前縁部底面６３の長さとほぼ同じ長さとなっている。しかも、上記高さ寸法ａは奥行き寸法ｂよりも大きくなっている。さらに、突起部２０と２１の間には逃げ部２２が形成されている。これは、棚板の前縁部６０に取り付けられたブックサポートを棚板に沿って左右に移動させたい場合、図４に示すように取付部１３を傾けることにより、前縁部６０と取付部１３の凹部１４との挟み込みが外れ、前縁部６０に沿ってスムーズにブックサポートを移動させることができるようにするためである。
【００２１】
上記取付部１３を傾けるには、取付部１３に取り付けられている仕切部１を持ち上げてもよく、また、仕切部１を持ち上げて上記のように挟み込みを外したまま棚板の前縁に沿って移動させることができ、所望の位置で仕切部１を棚板の上面に向かって押し付ければ、上記のような挟み込みによってブックサポートを固定することができる。
【００２２】
次に、丸鋼により形成した仕切部の一例を図５に示す。仕切部１は一本の丸鋼を数回折り曲げることにより、棚上の蔵書等を支えることができるような一面が形成されている。
丸鋼は、図５に示すように上方に９０゜折り曲げられて底辺６と角部２が形成され、次に左方に９０゜折り曲げられて前辺８と角部３が形成され、次に下方に９０゜折り曲げられて上辺７と角部４が形成され、次に左方に９０゜折り曲げられて後辺９と角部５と後底辺１０が形成されている。底辺６と上辺７と後底辺１０は互いに略平行となっており、前辺８と後辺９も互いに略平行となっている。丸鋼の両端１１、１２は、前辺８から同一の距離に揃えられている。
【００２３】
仕切部取付部１５には、前記２つの孔２７、２７が設けられ、この孔２７、２７に丸鋼の両端部が挿入され固定されている。なお、丸鋼の折り曲げ方は、特に上記の例に限るものではなく、棚上に載置された蔵書等を支えることができるような一面を形成することができればよい。
また、仕切部は上記の例では丸鋼を用いているが、これに限るものではなく、板状体であってもかまわない。
【００２４】
以上説明した実施の形態によれば、樹脂からなる取付部に仕切部を保持させ、棚板の前縁部を上記取付部で挟み込んだ形で取り付けられるようにしたため、棚板の前縁部に沿って移動させても棚板の前縁部に傷がつくことはなく、錆の原因となることもない。また、棚板前縁部の挟み込みを解除した状態で容易に移動させることができ、移動後の固定も容易である。
【００２５】
上記実施の形態は、棚板の前縁部に取付ける形式のものであったが、次に説明する実施の形態のように、棚板の後部にある背板に取り付ける形式にしてもよい。
図６は取付部の別の例を示す斜視図であり、図７はこの取付部を取り付けることができる棚板後縁部の一例を示す斜視図である。前述の棚板前縁部６０と同様に、棚板の一面を略直角に３回折り曲げることにより、上面７１、前面７２、底面７３、折り返し面７４を有する棚板後縁部７０が形成されている。
【００２６】
棚板後縁部７０に取り付けられる後縁部背板７５は、例えば一枚の鋼板から形成され、後縁部７０の前面７２に対応する長面７６と、上面に対応する短面７７と、短面７７とは垂直で長面７６とは平行な背板上部７８とを有し、背板上部７８はその先端が長面７６の方に折り返され、背板上部前面７９と背板上部上端８０と背板上部後面８１とを有している。
【００２７】
後縁部７０の前面７２には背板の長面７６が当接し、上面７１には短面７７が当接し、長面７６には図示しない嵌込部が設けられ、この嵌込部が後縁部の前面７２に嵌め込まれることにより、背板７８は後縁部７０に取り付けられるようになっている。
なお、図示の実施の形態では、背板７５が棚板とは別個のものとしているが、背板７５が棚板が一体となっていてもよい。
【００２８】
図６に示すように、取付部５１も取付部１３と同様に樹脂により成形されており、取付部５１は、後述する仕切部を取り付けることができる仕切部取付部５２と、背板上部前面７９に対応する前部５２と、背板上部上端８０に対応する上部５３と、背板上部後面８１に対応する後部５４と、背板上端部の折り返し端部８２に対応する突出部５５と、背板上部前面７９に当接する当接部５６とを有している。前部５２と上部５３と後部５４と突出部５５とはそれぞれ垂直に成形されているため、結果として上部５３と突出部５５及び前部５２と後部５４とは略平行となっている。仕切部取付部５２には２つの孔５７、５７が設けられ、この孔５７、５７に後述する仕切部が取り付けられるようになっている。
【００２９】
図８に示すように、取付部５１の当接部５６、前部５２、上部５３、後部５４、突出部５５により凹部５８が形成され、当接部５６、上部５３、突出部５５が背板７５のの対応する面に当接することにより、背板７５は凹部５８内の空間内にきっちりと挟み込まれて固定されるようになっている。このため、ブックサポートは、蔵書等による水平方向からの力に抗して蔵書等を支えることができる。
【００３０】
取付部５１の上部５３において、背板上部上端８０に対応する部分の奥行き寸法ｃは、背板上部上端の折り返しの幅ｄよりも大きくなっている。これは、背板７５に取り付けられたブックサポートを棚板７５に沿って左右に移動させたい場合、図９に示すように取付部を少しだけ手前に傾けることにより、背板７５と取付部５１の凹部５８との挟み込みが外れ、背板７５に沿ってスムーズにブックサポートを移動させることができるようにするためである。この場合も、取付部５１と一体の仕切部を持ってこれを持ち上げることにより上記挟み込みを外すことができ、このまま背板７５に沿って移動させ、仕切部を押し下げることにより上記挟み込みによって固定することができる。
【００３１】
次に、丸鋼により形成した仕切部の別の例を図１０に示す。仕切部３０も一本の丸鋼を数回折り曲げることにより、蔵書等を支えることができるように一面が形成されている。
【００３２】
１本の丸鋼は、図１０に示すように取付部５１の一方の側面から側方に伸び出て直ちに上方に９０゜折り曲げられて底辺３１と角部３２が形成され、次に右方に９０゜折り曲げられて前辺３３と角部３４が形成され、次に下方に９０゜折り曲げられて上辺３５と角部３６が形成され、次に右方に９０゜折り曲げられて後辺３７と角部３８と後底辺３９が形成され、後底辺３９の端部は水平に９０゜折り曲げられて取付部５１に圧入されている。底辺３１と上辺３５と後底辺３９は互いに平行となっており、前辺３３と後辺３７も互いに平行となっている。丸鋼の先端部４０と後端部４１は、前辺３３から同一の距離の位置で図１０の紙面と垂直な方向に折り曲げられている。
【００３３】
仕切部取付部５２には、２つの孔５７、５７が設けられ、この孔５７、５７に丸鋼の先端部４０と後端部４１が挿入され固定されるようになっている。なお、丸鋼の折り曲げ方は、特に上記の例に限るものではなく、棚上に載置された蔵書等を支えることができるような一面を形成することができればよい。
【００３４】
丸鋼の先端部４０と後端部４１は、丸鋼により形成される面に対して９０゜折り曲げられて取付部５１の孔５７、５７に挿入固定されている。従って、取付部５１は丸鋼により形成される面に対して片側に取り付けられるようになっている。そのため、例えば取付部が仕切部に対して右側に設けられていた場合、蔵書は一般に本棚の左側から並べられるため、仕切部に左側からの力が働いた場合でも、取付部がストッパーとなり、右側には動かないようになっている。
また、仕切部は上記の例では丸鋼を用いているが、これに限るものではなく、板状体であってもかまわない。
【００３５】
以上説明した実施の形態においても、樹脂からなる取付部に仕切部を保持させ、棚板前縁部を上記取付部で挟み込んだ形で取り付けられるようにしたため、棚板の前縁部に沿って移動させても棚板の前縁部に傷がつくことはなく、錆の原因となることもない。また、棚板前縁部の挟み込みを解除した状態で容易に移動させることができ、移動後の固定も容易である。
なお、棚板、仕切部の材質は特に鋼に限るものではなく、アルミニウム等の金属でもよく、あるいは木製やプラスチック製であってもかまわない。
【００３６】
【発明の効果】
請求項１記載の発明によれば、折り曲げによって上面、前面、底面、折り返しを有する前縁部が形成された棚板の上記前縁部に取り付けられるブックサポートにおいて、仕切部と、仕切部を保持するとともに棚板に取り付けられる樹脂により成形された取付部とを有し、取付部は、棚板の前縁部にこの前縁部を挟み込んだ形で取り付けることができるため、棚板に傷がつきにくく、また、棚板上を滑らかに移動させることができ、さらに、ブックサポートを棚板正面から簡単に取り付けることができ、特に棚板最上段の取扱いが容易となる。
【００３７】
また、請求項１記載の発明は、取付部が、仕切部を取り付け可能な仕切部取付部と、棚板前縁部上面に対応する上部と、棚板前縁部前面に対応する前部と、棚板前縁部底面に対応する底部と、棚板前縁部底面からの折り返しに対応する折り返し部とを有してなり、上部と前部と底部と折り返し部とにより棚板の前縁部を挟み込むようにしたため、取付部は棚板前縁部にしっかりと固定することができ、棚板上に載置された蔵書等を十分に支えることができる。
棚板前縁部上面に対応する上部には、棚板の上面に当接する手前側と奥側の突起を残してその間に逃げ部を形成したため、取付部を手前に少し倒すと、取付部と前縁部との締結は解除され、自由に棚板面を移動させることができる。
【００３８】
請求項２記載の発明によれば、請求項１記載のブックサポートにおいて、前記前部の棚板前縁部前面に対応する部分の高さ寸法ａは、前記底部の棚板前縁部底面に対応する部分の奥行き寸法ｂよりも大きくしたため、取付部を手前に少し倒すと、取付部と前縁部との締結は解除され、自由に棚板面を移動させることができる。
【００４０】
請求項３記載の発明によれば、請求項１又は２記載のブックサポートにおいて、仕切部は、一面を形成するように一本の丸鋼が折り曲げられて形成され、前記取付部に取り付けられているため、棚上に載置される蔵書等に傷を付けることがない。
【００４１】
請求項４記載の発明によれば、棚板の後部にある背板の折り返された上縁部を挟み込んだ形で取り付けることができるブックサポートにおいて、仕切部と、仕切部を保持するとともに樹脂により成形された取付部とを有し、取付部は、棚板の後部にある背板の折り返された上縁部を挟み込んだ形で取り付けることができるため、棚板に傷がつきにくく、また、背板上を滑らかに移動させることができる。
【００４３】
請求項５記載の発明によれば、請求項４記載のブックサポートにおいて、前記上部において、背板上端部に対応する部分の奥行き寸法ｃは、背板の上端部の折り返しの幅ｄよりも大きくしたため、取付部を少しだけ奥側に倒すと、取付部と背板との締結は解除され、自由に棚板面を移動させることができる。
【００４４】
請求項６記載の発明によれば、請求項４又は５記載のブックサポートにおいて、取付部は、仕切部により形成される面に対して片側に取り付けたため、取付部が取り付けられた側とは反対の側に蔵書が載置された場合、ブックサポートは動かず、蔵書を支えることができる。
【００４５】
請求項７記載の発明によれば、請求項４、５又は６記載のブックサポートにおいて、仕切部は、一面を形成するように一本の丸鋼が折り曲げられて形成され、取付部に取り付けられるようにしたため、棚上に載置される蔵書等に傷を付けることがない。
【図面の簡単な説明】
【図１】本発明にかかるブックサポートに用いることができる取付部の一例を示す斜視図である。
【図２】本は明にかかるブックサポートを取り付けることができる棚板前縁部の一例を示す斜視図である。
【図３】本発明にかかるブックサポートの実施の形態を示す側面図である。
【図４】本発明にかかるブックサポートの別の実施の形態を示す側面図である。
【図５】本発明にかかるブックサポートに用いることができる仕切部の一例を示す側面図である。
【図６】本発明にかかるブックサポートに用いることができる取付部の別の例を示す斜視図である。
【図７】本発明にかかるブックサポートを取り付けることができる背板の一例を示す斜視図である。
【図８】本発明にかかるブックサポートの実施の形態を示す側面図である。
【図９】本発明にかかるブックサポートの別の実施の形態を示す側面図である。
【図１０】本発明にかかるブックサポートに用いることができる仕切部の一例を示す側面図である。
【図１１】従来のブックサポートに用いられていた仕切部の一例を示す側面図である。
【図１２】従来のブックサポートに用いられていた仕切部の別の例を示す側面図である。
【符号の説明】
１      仕切部
１３      取付部
１５      仕切部取付部
１６      上部
１７      前部
１８      底部
１９      折り返し部
２０      突起
２１      突起
２２      逃げ部
５９      棚板
６０      前縁部
６１      棚板前縁部上面
６２      棚板前縁部前面
６３      棚板前縁部底面
６４      折り返し
【図１】
0003594493.tif 000002
【図２】
0003594493.tif 000003
【図３】
0003594493.tif 000004
【図４】
0003594493.tif 000005
【図５】
0003594493.tif 000006
【図６】
0003594493.tif 000007
【図７】
0003594493.tif 000008
【図８】
0003594493.tif 000009
【図９】
0003594493.tif 000010
【図１０】
0003594493.tif 000011
【図１１】
0003594493.tif 000012
【図１２】
0003594493.tif 000013